(57)【要約】  本発明は、かご室の天蓋（１０）の上部に載置され、内部に照明灯（２１９を有する照明ボックス（２０）と、天蓋（１０）の穴（１１）に着脱可能に載置された透光性の照明板（２２）と、端部が天蓋（１０）上に載置された照明板（２２）の側面と間隔を置いて設けられ、天蓋（１０）上に固定配置され、照明ボックス（２０）を固定するとともに、照明板（２２）の浮き上がりを防止する取付金（３０）と、照明板（２２）が天蓋（１０）上に載置された際に、照明板（２２）と相対する天蓋（１０）上に固定配置され、照明板（２２）の位置決めを行う突起部（１２）とを備えており、照明板（２２）は、突起部（１２）と相対する位置に貫通穴（２２ａ）を有し、照明板（２２）に設けられた貫通穴（２２ａ）と、天蓋（１０）に設けられた突起部（１２）とを嵌合状態／嵌合解除状態とすることで、照明板（２２）を天蓋（１０）に対して着脱可能とするものである。
2015189951.tif 000002
【特許請求の範囲】
【請求項１】
穴が設けられたかご室の天蓋と、  前記天蓋の上部に載置され、内部に設けた照明灯からの光を、前記穴を通して前記かご室内に照射させる照明ボックスと、  前記穴を覆うように前記天蓋上に着脱可能に載置され、前記照明灯からの光を前記かご室内に透過させる照明板と、  前記天蓋上に載置された前記照明板の側面と間隔を置いて、前記天蓋上に固定配置され、前記照明ボックスを固定するとともに、前記照明板の浮き上がりを防止する取付金と  を備えたエレベータかごの照明装置において、  前記照明板が前記天蓋上に載置された際に、前記照明板と相対する前記天蓋上に固定配置され、前記照明板の位置決めを行う突起部  をさらに備え、  前記照明板は、前記天蓋上に載置された際の前記突起部と相対する位置に、貫通穴を有し、  前記照明板に設けられた前記貫通穴と、前記天蓋に設けられた前記突起部とを嵌合状態／嵌合解除状態とすることで、前記照明板を前記天蓋に対して着脱可能とする  エレベータかごの照明装置。
【請求項２】
請求項１に記載のエレベータかごの照明装置の製造方法であって、  前記突起部を前記天蓋上に固定設置する第１工程と、  前記天蓋上に載置される前記照明板の浮き上がりを防止する取付金を、前記天蓋上の、前記突起部の外側に固定設置する第２工程と、  前記第２工程で固定設置された前記取付金に対して、前記照明ボックスを取り付ける第３工程と、  かご内から、前記天蓋の前記穴を通して、前記照明板を挿入し、前記照明板に設けられた前記貫通穴と、前記天蓋に設けられた前記突起部とを嵌合状態とすることで、前記穴を覆うように、前記天蓋上に前記照明板を装着する第４工程と  を有するエレベータかごの照明装置の製造方法。
【発明の詳細な説明】
【技術分野】
【０００１】  本発明は、エレベータかごに設置される照明装置に用いられる照明板の着脱を容易に行うことのできるエレベータかごの照明装置、およびエレベータかごの照明装置の製造方法に関するものである。
【背景技術】
【０００２】  エレベータかごの照明装置に関する従来技術としては、天井内に目地あるいは支持部材を設置し、照明板を載置する構造を備えたものがある（例えば、特許文献１、２参照）。ここで、照明板の位置決めに関して、特許文献１では、バネ（弾性体）が照明板の側面を押圧することで行っている。また、照明板の位置決めに関して、特許文献２では、発条部材（弾性体）により、照明板の水平方向の移動の規制と浮き上がり防止を行っている。
【先行技術文献】
【特許文献】
【０００３】
【特許文献１】特開平３−６７８８６号公報
【特許文献２】特開平２−２５５４８５号公報
【発明の概要】
【発明が解決しようとする課題】
【０００４】  しかしながら、従来技術には、以下のような課題がある。  特許文献１，２は、いずれも、照明板を載置する際に、その載置寸法が制限され、取付作業が難しいといった問題がある。また、特許文献１、２は、いずれも弾性体を利用して照明板の脱着を行っており、弾性体を押し戻すといった作業が必要となる。この結果、照明灯の交換時に行う必要のある、照明板の着脱作業性が、必ずしも良いとはいえない。【０００５】  本発明は、前記のような課題を解決するためになされたものであり、かご内の天井照明の交換時に脱着する必要のある照明板に関して、意匠性を損なうことなく、かつ取付構造の簡素化を図り、照明板の脱着性を向上させることのできるエレベータかごの照明装置、およびエレベータかごの照明装置の製造方法を得ることを目的とする。
【課題を解決するための手段】
【０００６】  本発明に係るエレベータかごの照明装置は、穴が設けられたかご室の天蓋と、天蓋の上部に載置され、内部に設けた照明灯からの光を、穴を通してかご室内に照射させる照明ボックスと、穴を覆うように天蓋上に着脱可能に載置され、照明灯からの光をかご室内に透過させる照明板と、天蓋上に載置された照明板の側面と間隔を置いて、天蓋上に固定配置され、照明ボックスを固定するとともに、照明板の浮き上がりを防止する取付金とを備えたエレベータかごの照明装置において、照明板が天蓋上に載置された際に、照明板と相対する天蓋上に固定配置され、照明板の位置決めを行う突起部をさらに備え、照明板は、天蓋上に載置された際の突起部と相対する位置に貫通穴を有し、照明板に設けられた貫通穴と、天蓋に設けられた突起部とを嵌合状態／嵌合解除状態とすることで、照明板を天蓋に対して着脱可能とするものである。【０００７】  また、本発明に係るエレベータかごの照明装置の製造方法は、請求項１に記載のエレベータかごの照明装置の製造方法であって、突起部を天蓋上に固定設置する第１工程と、天蓋上に載置される照明板の浮き上がりを防止する取付金を、天蓋上の、突起部の外側に固定設置する第２工程と、第２工程で固定設置された取付金に対して、照明ボックスを取り付ける第３工程と、かご内から、天蓋の穴を通して、照明板を挿入し、照明板に設けられた貫通穴と、天蓋に設けられた突起部とを嵌合状態とすることで、穴を覆うように、天蓋上に照明板を装着する第４工程とを有するものである。
【発明の効果】
【０００８】  本発明によれば、天蓋に設けた突起部と、照明板に設けた穴とを嵌合状態とすることで、照明板の位置決めを行う構成を採用することにより、かご内の天井照明の交換時に脱着する必要のある照明板に関して、意匠性を損なうことなく、かつ取付構造の簡素化を図り、照明板の脱着性を向上させることのできるエレベータかごの照明装置、およびエレベータかごの照明装置の製造方法を得ることができる。
【図面の簡単な説明】
【０００９】
【図１】本発明の実施の形態１におけるエレベータかごの照明装置の配置を説明するための図である。
【図２】本発明の実施の形態１におけるエレベータかごの照明装置の詳細構成を説明するための図である。
【発明を実施するための形態】
【００１０】  以下、本発明のエレベータかごの照明装置、およびエレベータかごの照明装置の製造方法の好適な実施の形態につき図面を用いて説明する。
【００１１】  実施の形態１．  図１は、本発明の実施の形態１におけるエレベータかごの照明装置の配置を説明するための図である。エレベータかごの側壁１の上部に渡って、天蓋１０が設けられている。天蓋１０には、穴１１が設けられており、穴１１の上部を覆うように、照明ボックス２０が配置されている。図１においては、２つの穴１１のそれぞれに照明ボックス２０を配置した場合を例示している。
【００１２】  照明ボックス２０内に設置された照明灯２１から照射された光は、穴１１を覆う照明板２２を透過して、かご内を照らすこととなる。ここで、本発明は、照明灯２１の交換作業が必要となった際に、照明板２２の着脱を容易に行うことができる構造を有することを技術液特徴としている。そこで、このような技術的特徴を、図２を用いて詳細に説明する。
【００１３】  図２は、本発明の実施の形態１におけるエレベータかごの照明装置の詳細構成を説明するための図である。具体的には、図２（ａ）は、本実施の形態１における照明装置を、天蓋１０の上部から、かご内を見下ろした際の断面図であり、図２（ｂ）のＡ−Ａ断面に相当する。一方、図２（ｂ）は、本実施の形態１における照明装置を、横方向から見た断面図であり、図２（ａ）のＢ−Ｂ断面に相当する。
【００１４】  天蓋１０には、照明灯２１によってかご室内を照らすための穴１１が開いている。穴１１の周辺には、例えばアクリルブロックで形成された突起部１２が、接着またはテープ等により、天蓋１０に貼付されている。
【００１５】  また、天蓋１０に開いている穴１１の両端側であり、かつ、突起部１２の外側に、接着または溶接等で、取付金３０を載置している。この取付金３０は、照明ボックス２０を取り付ける役目とともに、照明板２２の浮き上がりを防止する役目も果たす。
【００１６】  取付金３０を天蓋１０上に固定配置した後に、この取付金３０に対して、照明ボックス２０を上方からかぶせるように配置し、取付金３０と照明ボックス２０をボルトまたは溶接等で固定する。
【００１７】  そして、最後に、かご内（下方）から、天蓋１０の穴１１を通して、照明板２２を挿入する。ここで、照明板２２には、天蓋１０上に載置された際の突起部１２と相対する位置に、貫通穴２２ａがあらかじめ開けられている。そして、貫通穴２２ａを、突起部１２にはめ込むようにして嵌合状態とすることで、照明板が容易に位置決めされ、穴１１をふさぐように設置することができる。
【００１８】  その際、照明ボックス２０内の、天蓋１０と取付金３０の間の空間を利用することで、照明板２２を容易に嵌合状態とすることができる。なお、突起部１２であるアクリルブロックの高さは、照明板２２の厚みより大きくなるように形成されており、一度、突起部１２にはめ込まれた照明板２２は、突起部１２の高さ以上持ち上げない限り、位置決め状態が維持される構造となっている。
【００１９】  そして、照明灯２１のメンテナンスの際は、かご内（下方）より天蓋１０の穴１１を通して、照明板２２を持ち上げて、突起部１２と貫通穴２２ａを嵌合解除状態とすることで、取り外すことで、照明灯２１にアクセスすることが可能となる。その際、照明ボックス２０内の、天蓋１０と取付金３０の間の空間を利用することで、照明板２２を容易に嵌合解除状態とすることができる。
【００２０】  以上の構造および位置決め固定方法を採用することで、照明交換作業の容易化が実現できる。さらに、照明灯２１は、照明ボックス２０内に固定されている。このため、容易に脱着可能な照明板２２は、穴１１を覆うように設置することにより、照明灯２１を保護する役目も果たす。
【００２１】  本実施の形態１におけるエレベータかごの照明装置の製造手順を整理すると、以下のようになる。［第１工程］突起部１２の設置  照明板２２の貫通穴２２ａと嵌合させるための突起部１２を、天蓋１０上に固定設置する。突起部１２は、接着またはテープにより、天蓋１０の所望の位置に貼り付けることで、固定設置させることができる。
【００２２】［第２工程］取付金３０の設置  突起部１２の天蓋１０に開いている穴１１の両端側であり、かつ、突起部１２の外側に、取付金３０を固定設置する。取付金３０は、接着または溶接により、天蓋１０の所望の位置に取り付けることで、固定設置させることができる。
【００２３】［第３工程］照明ボックス２０の設置  照明灯２１が取り付けられる照明ボックス２０を、取付金３０を利用して取り付ける。照明ボックス２０は、ボルトまたは溶接により、取付金３０に対して固定される。
【００２４】［第４工程］照明板２２の設置  かご内から、天蓋１０の穴１１を通して、照明板２２を挿入する。この際に、照明板２２に設けられた貫通穴２２ａと、天蓋１０に設けられた突起部１２とを嵌合状態とすることで、天蓋１０上に照明板２２を装着する。この際、天蓋１０と取付金３０の間の空間を利用することで、容易に嵌合状態とすることができる。
【００２５】［第５工程］照明灯２１のメンテナンス時における照明板２２の取り外し  照明ボックス２０内のメンテナンスを行う必要が生じた場合には、嵌合状態となっている照明板２２をかご内から持ち上げて移動させることで、突起部１２と貫通穴２２ａを嵌合解除状態とする。さらに、嵌合解除状態となった照明板２２を、天蓋１０と取付金３０の間の空間を利用して、天蓋１０の穴１１からかご内に取り出すことで、照明板２２の取り外しを行う。
【００２６】  以上のように、実施の形態１によれば、天蓋の突起部と、照明板の穴とを嵌合状態とすることで、天蓋の穴をふさぐとともに、照明灯を保護する役目を果たす照明板を、容易に装着することができる。また、照明ボックス内にアクセスする必要がある場合には、天蓋の突起部と、照明板の穴とを嵌合解除状態とすることで、容易に取り外すことができる。この結果、弾性体を押し戻すといった作業なしに、照明板を容易に着脱することが可能となる。
【００２７】  なお、上述した実施の形態１では、突起部を天蓋側に設け、穴を照明板側に設けることで、嵌合状態を実現していた。しかしながら、本発明は、これに限定されず、この構成とは逆に、突起部を照明板側に設け、穴を天蓋側に設けることでも、同様の効果を得ることが可能である。
【図１】
2015189951.tif 000003
【図２】
2015189951.tif 000004
【国際調査報告】
2015189951.tif 000005
2015189951.tif 000006
2015189951.tif 000007